(57)【要約】【課題】フィルタ回路における信号のロスが生じても、通過すべき周波数の信号と他の周波数の信号との十分な強度比が得られるフィルタ回路を提供する。【解決手段】信号線１１０に接続され、信号線１１０を伝搬する信号をフィルタリングするフィルタ回路を、信号線１１０ラインから信号を入力し、バッファリングするアンプ回路１０１と、アンプ回路１０１によってバッファリングされた信号をフィルタリングするノッチフィルタ１０８と、ノッチフィルタ１０８から出力された信号を入力し、入力された信号の周波数分布を反転させて信号線１１０に出力する−ｇｍ回路１０２と、によって構成する。【選択図】  図１
2011066508.tif 000002
【特許請求の範囲】
【請求項１】
信号ラインに接続され、前記信号ラインを伝搬する信号をフィルタリングするフィルタ回路であって、
前記信号ラインから前記信号を入力し、バッファリングするバッファ回路と、
前記バッファ回路によってバッファリングされた信号をフィルタリングするノッチフィルタと、
前記ノッチフィルタから出力された信号を入力し、入力された信号の周波数分布を反転させて前記信号線に出力する反転回路と、
を備えることを特徴とするフィルタ回路。
【請求項２】
前記バッファ回路は、前記信号を増幅する機能を備えたアンプ回路であることを特徴とする請求項１に記載のフィルタ回路。
【請求項３】
前記反転回路は、
前記信号を入力し、入力された信号の位相を反転して出力する可変コンダクタンス回路であることを特徴とする請求項１または２に記載のフィルタ回路。
【請求項４】
前記ノッチフィルタは、
容量素子と、該容量素子に直列に接続されたインダクタンス素子を含むことを特徴とする請求項１から３のいずれか１項に記載のフィルタ回路。
【請求項５】
前記アンプ回路、前記反転回路の少なくとも一方は、電力の供給を制御可能に構成されてなることを特徴とする請求項２から４のいずれか１項に記載のフィルタ回路。
【発明の詳細な説明】
【技術分野】
【０００１】
本発明は、フィルタ回路にかかり、特に、テレビ放送のアンテナとチューナとの間に配置されるフィルタ回路に関する。
【背景技術】
【０００２】
現在、テレビ放送が全面的にデジタル放送に切り替わりつつある。デジタル放送では、大凡５０チャネルの放送が可能であり、テレビチューナは、このうちの１つのチャネルの信号を受信する。テレビチューナでは、このために入力された信号から受信すべき信号以外の信号を除去するためのフィルタリングが必要になる。
ただし、テレビチューナは、その電源電圧が比較的低いことが知られており、フィルタリングを内部で行うよりも、外部で行うことが望ましいとされている。
【０００３】
図１６（ａ）〜（ｆ）は、アンテナとチューナとの間にフィルタを備えたフィルタ回路の従来技術を説明するための図である。図１６（ａ）は、フィルタが入っていない状態を示す模式的な回路図であり、破線Ａよりも紙面右側はチューナとして機能するＩＣ（Integrated Circuit）の内部を示している。アンテナのインピーダンスが５０Ωである場合、ＩＣの内部にも５０Ωのインピーダンスを作成して両者を共振させて受信が行われる。
【０００４】
図１６（ｂ）は、図１６（ａ）に示した回路の信号ラインａに現れる信号の周波数の通過特性を示した図である。図１６（ｂ）は、全ての周波数の信号がチューナに受信される状態を示している。
現在、チューナに１つだけのチャネルを受信させる場合、アンテナ１とチューナとの間に周波数フィルタを挿入し、所望の周波数以外の周波数を除去することが行われている。このような従来技術は、例えば、特許文献１に記載されている。特許文献１には、アンテナとチューナとの間にノッチフィルタが挿入された回路が記載されている。
【０００５】
図１６（ｃ）は、アンテナ１とチューナとの間にフィルタ回路２を挿入した状態を示す模式的な回路図である。図１６（ｃ）に示したフィルタ回路２は、所定の周波数帯域のみを通過するバンドパスフィルタである。図１６（ｄ）は、フィルタ回路２を挿入した場合に信号ラインに出力される信号の周波数の通過特性を示している。図示したように、フィルタ回路２は、通過すべき所定の周波数（以下、通過周波数と記す）ｆｃを通過周波数のピークとしている。
【先行技術文献】
【非特許文献】
【０００６】
【非特許文献１】IEEE JOURNAL OF SOLID-STATE CIRCUITS, VOL. 44, NO. 2, FEBRUARY 2009 Analysis and Design of an Integrated Notch Filter for the Rejection of Interference in UWB Systems
【発明の概要】
【発明が解決しようとする課題】
【０００７】
しかしながら、フィルタ回路では、一般的に抵抗成分を含み、このために通過される信号のピークが減衰されることが知られている。図１６（ｅ）、（ｆ）は、フィルタ回路における減衰を説明するための図である。図１６（ｅ）は、図１６（ｃ）に示したフィルタ回路２の抵抗成分を説明するための図である。フィルタ回路２は、コイルＬと可変容量素子Ｃとを並列に接続して構成されている。コイルＬの抵抗成分ＲLはコイルに直列に発生し、可変容量素子Ｃの抵抗成分ＲCは可変容量素子Ｃに対して並列に発生する。
【０００８】
この結果、図１６（ｆ）に示したように、フィルタ回路２の通過周波数の信号が低下し（信号のロスとも記す）、チューナが持つノイズ量に対する信号の強度比が低下すること（ＳＮＲの劣化)で、受信感度が低下する。信号のロスは、バンドパスフィルタのＱ値が十分高くない場合に大きくなる。このため、従来技術では、コイルＬのインダクタンス、可変容量素子のコンダクタンスの設計や抵抗成分を抑え、より信号のロスを抑えることが求められていた。
本発明は、このような点に鑑みてなされたものであり、フィルタ回路における信号のロスが生じても、通過すべき周波数の信号のロスを抑えるフィルタ回路を提供することを目的とする。
【課題を解決するための手段】
【０００９】
以上の課題を解決するため、本発明の請求項１に記載のフィルタ回路は、信号ライン（例えば図１に示した信号線１１０）に接続され、前記信号ラインを伝搬する信号をフィルタリングするフィルタ回路であって、前記信号ラインから前記信号を入力し、バッファリングするバッファ回路（例えば図１に示したアンプ回路１０１）と、前記バッファ回路によってバッファリングされた信号をフィルタリングするノッチフィルタ（例えば図１に示したノッチフィルタ１０８）と、前記ノッチフィルタから出力された信号を入力し、入力された信号の位相を反転させて前記信号線に出力する反転回路（例えば図１に示した−ｇｍ回路）と、を備えることを特徴とする。
【００１０】
本発明の請求項２に記載のフィルタ回路は、請求項１の発明において、前記バッファ回路が、前記信号を増幅する機能を備えたアンプ回路（例えば図１に示したアンプ回路１０１）であることを特徴とする。
本発明の請求項３に記載のフィルタ回路は、請求項１または２の発明において、前記反転回路が、前記信号を入力し、入力された信号の位相を反転して出力する可変コンダクタンス回路（例えば図１に示した−ｇｍ回路）であることを特徴とする。
【００１１】
本発明の請求項４に記載のフィルタ回路は、請求項１から３のいずれか１項の発明において、前記ノッチフィルタが、容量素子（例えば図１に示した可変容量素子１０６）と、該容量素子に直列に接続されたインダクタンス素子（例えば図１に示したコイル１０７）を含むことを特徴とする。
本発明の請求項５に記載のフィルタ回路は、請求項２から４のいずれか１項の発明において、前記アンプ回路、前記反転回路の少なくとも一方が、電力の供給を制御可能に構成されてなることを特徴とする。
【発明の効果】
【００１２】
本発明の請求項１に記載の発明によれば、信号ラインを伝搬する信号を入力してバッファリングし、バッファリングされた信号をノッチフィルタによってフィルタリングするから、所定の周波数帯域を減衰させる周波数特性の信号を得ることができる。また、ノッチフィルタから出力された信号の周波数分布を反転させて信号線に出力するから、所定の周波数帯域(通過帯域)では信号ラインを伝搬する信号とノッチフィルタによって減衰させられた信号の引き算が行われ、結果信号ラインの信号は減衰することはない。また所定の周波数帯域以外（非通過帯域）では、信号ラインを伝搬する信号とノッチフィルタで減衰させられていない信号の引き算が行われ、結果信号ラインには減衰した信号を合成することができる。この結果、所定の周波数の減衰が少ないバンドパスフィルタ特性を持ったフィルタ回路を提供することができる。
【００１３】
本発明の請求項２に記載の発明によれば、バッファ回路が増幅機能を備えたアンプ回路であるので、入力した信号を増幅した上でノッチフィルタにおいてフィルタリングすることができる。また、アンプのゲインを調整することにより、通過帯域及び非通過帯域での減衰量といったフィルタ回路の周波数特性を調整することができる。
本発明の請求項３に記載の発明によれば、反転回路が可変コンダクタンス回路であるから、可変コンダクタンス回路のｇｍ値を調整することにより、フィルタ回路の周波数特性を調整することができる。
本発明の本発明の請求項４に記載の発明によれば、ノッチフィルタを簡易な構成とすることができる。
本発明の請求項５に記載の発明によれば、アンプ回路、反転回路への電力の供給を制限、または停止してフィルタ特性をＯＦＦできる回路を構成することができる。
【図面の簡単な説明】
【００１４】
【図１】本発明の一実施形態のフィルタ回路の回路構成を説明するための図である。
【図２】図１に示したアンプ回路の回路図である。
【図３】図１に示した−ｇｍ回路の回路図である。
【図４】図１に示したノッチフィルタによってフィルタリングされた信号のフィルタ特性を示した図である。
【図５】図４に示した周波数特性を持つ信号を−ｇｍ回路が信号線に出力した結果得られる信号の周波数特性を示した図である。
【図６】本発明の一実施形態のシミュレーションモデルを示した図である。
【図７】図６に示したシミュレーションの結果を示した図である。
【図８】本発明の一実施形態のシミュレーションモデルを示した図である。
【図９】図８に示したシミュレーションの結果を示した図である。
【図１０】本発明の一実施形態のシミュレーションモデルを示した図である。
【図１１】図１０に示したシミュレーションの結果を示した図である。
【図１２】本発明の一実施形態のシミュレーションモデルを示した図である。
【図１３】図１２に示したシミュレーションの結果を示した図である。
【図１４】図１０に示したシミュレーションモデルにおける周波数特性及び、位相と周波数との関係を示した図である。
【図１５】図１２に示したシミュレーションモデルにおける周波数特性及び、位相と周波数との関係を示した図である。
【図１６】アンテナとチューナとの間にフィルタを備えたフィルタ回路の従来技術を説明するための図である。
【発明を実施するための形態】
【００１５】
以下、本発明の一実施形態を説明する。
・回路構成
図１（ａ）、（ｂ）は、本発明の一実施形態のフィルタ回路の回路構成を説明するための図である。図１（ａ）に示した本実施形態のフィルタ回路１０は、アンテナ１００と、チューナとして機能するＩＣとの間に設けられている。図中に示した破線より紙面右側（矢線Ａで示す）はチューナの内部である。アンテナ１によって受信された信号のうち、フィルタ回路１０によって通過された周波数成分だけが信号線１１０を介してチューナに入力される。チューナ内部の抵抗を抵抗素子１０５で表す。アンテナ１００は、抵抗素子１０４、交流電源１０３によって構成されている。
【００１６】
フィルタ回路１０は、アンプ（図中にＡＭＰと記す）回路１０１と、アンプ回路１０１と直列に接続されたノッチフィルタ１０８と、ノッチフィルタ１０８から出力された信号を反転させて信号線１１０に出力する可変コンダクタンス回路１０２とを備えている。本実施形態の可変コンダクタンス回路１０２は、入力信号の逆相を出力することで入力信号の周波数分布と出力信号の周波数分布とを逆転させる回路である。このため、以降、この可変コンダクタンス回路を、−ｇｍ回路１０２と記す。
ノッチフィルタ１０８は、信号の所望の周波数成分だけを減衰させるフィルタ回路である。本実施形態のノッチフィルタ１０８は、可変容量素子１０６、コイル１０７によって構成されている。
【００１７】
図１（ｂ）は、ノッチフィルタ１０８の抵抗成分を説明するための模式図である。ノッチフィルタ１０８には、可変容量素子１０６による抵抗成分１０６ｒ、コイル１０７による抵抗成分１０７ｒが生じる。このような抵抗成分により、ノッチフィルタ１０８による減衰すべき周波数（以下、減衰周波数と記す）の減衰量が低下してフィルタの減衰特性が劣化することが知られている。
【００１８】
ここで、図１（ａ）を使って、以上述べたフィルタ回路における伝達関数について説明する。この説明に使用される記号は、以下のとおりである。
Ｖi  交流電源１０３の出力電圧
Ｖs  信号線１１０にかかる電圧値
ＶN  アンプ回路１０１の出力電圧値
Ｒ50  抵抗素子１０４の抵抗値、抵抗素子１０５の抵抗値
Ｉ1  抵抗素子１０４を流れる電流値
Ｉ2  −ｇｍ回路１０２の出力電流値
Ｉ3  抵抗素子１０５を流れる電流値
−ｇｍ2  −ｇｍ回路１０２のｇｍ値
Ｚo  ノッチフィルタ１０８の出力インピーダンス
Ｚamp  アンプ回路１０１の出力インピーダンス
ＶN＝Ｖs・（Ｚo／（Ｚo＋Ｚamp））              …式（１）
Ｉ1＋Ｉ2＝Ｉ3              …式（２）
Ｉ1＝（Ｖi−Ｖs）／Ｒ50    …式（３）
Ｉ2＝−ＶN・ｇｍ2          …式（４）
Ｉ3＝Ｖs／Ｒ50             …式（５）
【００１９】
上記した式（１）〜（５）により、
Ｖs＝Ｖi／（２＋（Ｒ50・Ｚo・ｇｍ2）／（Ｚo＋Ｚamp））    …式（６）
を得る。式（６）において、Ｚo＝０ならば、Ｖs＝Ｖi／２となる。以上のことから、図１（ａ）、（ｂ）に示したフィルタ回路では、Ｚampが小さくて、Ｚo、ｇｍ2が十分に大きい場合にＶsが減衰し、Ｚoが十分に小さい場合にＶsが減衰しないことが分かる。したがって、本実施形態では、フィルタ回路を通過する信号の周波数成分を、ノッチフィルタ１０８の出力インピーダンスによって選択することが可能になる。
【００２０】
図２は、図１に示したアンプ回路１０１の回路図である。図示したように、アンプ回路１０１は、入力端子２０５とバイアス電源に接続された抵抗素子２０２との間に容量素子２０１が接続され、容量素子２０１と抵抗素子２０２との接続ノードにトランジスタ素子２０３のゲートが接続されて構成されている。トランジスタ素子２０３は、外部電源ＶｃｃとＧＮＤとの間に接続されたソースフォロア型のトランジスタであって、トランジスタ素子２０３のソースは出力端子２０６に接続されている。出力端子２０６とＧＮＤとの間には電流源２０７が接続されている。
容量素子２０１、抵抗素子２０２はアンプ回路１０１の動作点を最適化するレベルシフタ回路を構成し、
【００２１】
図３は、図１に示した−ｇｍ回路１０２の回路図である。−ｇｍ回路１０２は、外部電源ＶｃｃとＧＮＤとの間に直列に接続されたＰＭＯＳトランジスタ３０３、ＮＭＯＳトランジスタ３０４を備えている。ＰＭＯＳトランジスタ３０３のゲートには、ＰＭＯＳトランジスタ３０３と並列に、容量素子３０１、抵抗素子３０２が互いに直列に接続されている。ＮＭＯＳトランジスタ３０４は、レベルシフタ回路を構成する容量素子３０６、抵抗素子３０５と共に、図２に示したアンプと同様の回路を構成している。
【００２２】
図３に示した−ｇｍ回路は、入力端子３０７から入力された信号を、その信号の位相を反転させて出力端子３０８に出力する。
図２、図３に示したアンプ回路１０１、−ｇｍ回路１０２は、いずれも外部電源Ｖｃｃから電力の供給を受けており、外部電源Ｖｃｃによる電源供給の制御が可能に構成されている。このため、アンプ回路１０１、−ｇｍ回路１０２への電力の供給を制限、または停止すれば、本実施形態のフィルタ回路は周波数全域を通過させ、フィルタ特性をＯＦＦする回路として機能することができる。
【００２３】
・動作
図４は、図１（ａ）、（ｂ）に示したノッチフィルタ１０８によってフィルタリングされた信号のフィルタ特性を示した図である。破線は、抵抗成分が十分小さく、信号のロスが略０とみなせる理想的なフィルタ特性を示している。実線は抵抗成分により、信号のロスがみられるフィルタ特性を示している。なお、破線、実線のいずれの場合も、減衰周波数のピークｆｃは、（１／２）π（Ｌ・Ｃ）1/2である。
【００２４】
図５は、図４に示した周波数特性を持つ信号を−ｇｍ回路１０２が信号線１１０に出力した結果得られる信号の周波数特性を示している。図５においても、破線はノッチフィルタ１０８の周波数特性が理想的な場合、実線はノッチフィルタ１０８において信号がロスする場合を示している。
ノッチフィルタ１０８によってフィルタリングされ、−ｇｍ回路１０２によって反転された信号（以下、反転信号と記す）を信号線１１０に出力させると、出力された信号と図１６（ｂ）に示したアンテナから入力された信号ａ（以下、アンテナ信号と記す）とが加算される。反転信号とアンテナ信号とを合成して得られる信号（合成信号）は、図５に示したように、ノッチフィルタ１０８における減衰の有無に関わらず、ピークｆｃの周波数成分の減衰が小さく、その周辺の周波数成分を十分減衰できる良好な周波数特性を示している。
【００２５】
本実施形態が良好な周波数特性を得られる理由について説明する。すなわち、図４に示した破線のピークｐ１とピークｐ２とが例えば１０倍違ったとしても（例えばｐ１が０．００１、ｐ２が０．０１とする）、これを１（０ｄＢ）から差し引いた結果得られる値は０．９９９と０．９９となり、両者の相違は信号のロスの顕著な差異とは認められなくなる。一方、ピークの周波数の周辺の周波数では、反転信号が十分な減衰を示すため、ピークの周波数との十分な強度比を得ることができる。
なお、本実施形態でいう合成は、ノッチフィルタによってフィルタリングされた信号の周波数の分布を反転してアンテナ信号に加算しているので、結果として、上記した例のように減算となる。
【００２６】
以上述べた本実施形態によれば、ノッチフィルタによって所定の周波数帯域を減衰させる周波数特性の信号を得て、この信号を反転した信号と減衰のない信号とを合成することができる。この結果、ノッチフィルタにおける信号の減衰の有無によらず、所定の周波数の減衰が少ないバンドパスフィルタ特性を持ったフィルタ回路を提供することができる。
また、本実施形態は、ノッチフィルタを使ってバンドパスフィルタ特性を得る構成に限定されるものではない。ノッチフィルタをローパスフィルタや、ハイパスフィルタに変更することで、ハイパスフィルタやローパスフィルタ特性を得ることもできる。さらにノッチフィルタ部に周波数特性を持たさず、例えば図１のノッチフィルタ１０８を抵抗に置き換えることで、全周波数で減衰を得られるアッテネータ回路としても機能する。
【００２７】
・シミュレーション結果
以下、上記した本実施形態のフィルタ回路の基礎的な構成を検証するために行ったシミュレーションの結果を図６〜図１３を使って説明する。図６、８、１０、１２は、いずれもシミュレーションのモデルを示し、モデルは、アンテナＡＮとチューナＴとの間に特性の異なるフィルタ回路をそれぞれ接続したものである。図６、８、１０、１２に示したアンテナＡＮの抵抗素子Ｒ1、チューナＴの抵抗素子Ｒ2の抵抗値はいずれも５０Ωである。
【００２８】
（１）図６は、シミュレーション１に使用されたモデルを示している。シミュレーション１のモデルは、アンテナＡＮとチューナＴとの間に信号ロスのないバンドパスフィルタｆbp1を接続した構成である。バンドパスフィルタｆbp1のコイルＬ1のインダクタンスは２ｎＨ、キャパシタンスＣ1は４０ｐＦである。
図７は、図６に示したモデルの信号線Ｌｓに出力される信号の周波数特性を示している。バンドパスフィルタｆbp1に信号ロスがない場合、図７のように、−６ｄＢのゲインにおいてロスのない出力信号を得ることができる。
【００２９】
（２）図８は、シミュレーション２に使用されたモデルを示している。シミュレーション２のモデルは、シミュレーション１のバンドパスフィルタｆbp1に代えて抵抗成分Ｒ3を持ったバンドパスフィルタｆbp2をアンテナＡＮとチューナＴとの間に接続したものである。なお、抵抗成分Ｒ3の抵抗値は０．５Ωである。
図９は、図８に示したモデルの信号線Ｌｓに出力される信号の周波数特性を示している。バンドパスフィルタｆbp2に信号ロスがある場合、図９のように、出力信号は約２ｄＢのロスを生じる。なお、図８では、インダクタンスの抵抗成分としてＲ3を挿入しているが、キャパシタンスの抵抗成分を挿入した場合も、抵抗成分の抵抗値が同じであれば、同様の結果が得られた。
【００３０】
（３）図１０は、シミュレーション３に使用されたモデルを示している。シミュレーション３のモデルは、アンテナＡＮとチューナＴとの間に信号ロスのない本実施形態のバンドパスフィルタｆnb1を接続した構成である。バンドパスフィルタｆnb1のコイルＬ2のインダクタンスは２ｎＨ、キャパシタンスＣ2は４０ｐＦである。また、ＡＭＰのインピーダンスは１０Ω、−ｇｍ回路のｇｍ値は１００ｍとする。
図１１は、図１０に示したモデルの信号線Ｌｓに出力される信号の周波数特性を示している。バンドパスフィルタｆnb1に信号ロスがない場合、図１１のように、−６ｄＢのゲインにおいてロスのない出力信号を得ることができる。
【００３１】
（４）図１２は、シミュレーション４に使用されたモデルを示している。シミュレーション４のモデルは、シミュレーション３のバンドパスフィルタｆnb1に代えて抵抗成分Ｒ4を持ったバンドパスフィルタｆnb2をアンテナＡＮとチューナＴとの間に接続したものである。なお、抵抗成分Ｒ4の抵抗値は０．５Ωである。
図１３は、図１２に示したモデルの信号線Ｌｓに出力される信号の周波数特性を示している。バンドパスフィルタｆnb2に信号ロスがある場合、図１３のように、出力信号は約１ｄＢのロスを生じる。
【００３２】
図１４（ａ）は、シミュレーション３におけるノードＮ1の周波数特性を示し、図１４（ｂ）は位相と周波数との関係を示したグラフである。本実施形態のバンドパスフィルタｆnb1に信号ロスがない場合、図１４（ａ）のように、周波数特性は所定の減衰周波数で大きく減衰している。このため、本実施形態では、信号の帰還による出力信号線の安定性への影響はないと考えられる。
【００３３】
また、図１４（ｂ）に示したように、減衰が起こる周波数においては位相が略０度となり、図１０に示した−ｇｍにより位相が反転（＋１８０度）されて信号線Ｌｓに帰還され、負帰還が構成される。このことからも、信号の帰還による出力信号線の安定性への影響はないと考えられる。
図１５（ａ）は、シミュレーション４におけるノードＮ1の周波数特性を示し、図１５（ｂ）は位相と周波数との関係を示したグラフである。本実施形態の信号ロスがあるバンドパスフィルタｆnb2を挿入した場合、図１５（ａ）のように、減衰周波数における減衰量は低下している。ただし信号ロスがある場合であっても、図１５（ｂ）に示したように、減衰が起こる周波数においては位相が略０度となり、減衰周波数から離れるほどに位相は再び０に漸近している。
【００３４】
本実施形態では、ノードＮ1の後段に−ｇｍ回路が設けられており、ノッチフィルタとしての通過周波数付近での帰還ゲインはごく小さくなる。したがって、バンドパスフィルタｆnb2のノッチフィルタに信号ロスがある場合にも、信号の帰還による出力信号線の安定性への影響はないと考えられる。
【産業上の利用可能性】
【００３５】
以上述べたフィルタ回路は、特にアンテナによって受信された信号をフィルタリングして１チャンネルの信号を抽出し、チューナに入力するフィルタ回路に好適である。
【符号の説明】
【００３６】
１０１  アンプ回路
１０２  可変コンダクタンス（−ｇｍ）回路
１０６  可変容量素子
１０７  コイル
１０８  ノッチフィルタ
１１０  信号線
２０１  可変容量コンデンサ
２０２  抵抗素子
２０３  トランジスタ素子
２０５，３０７  入力端子
２０６，３０８  出力端子
２０７  電流源
３０１，３０６  可変容量素子
３０２，３０５  抵抗素子
３０３  ＰＭＯＳトランジスタ
３０４  ＮＭＯＳトランジスタ
【図１】
2011066508.tif 000003
【図２】
2011066508.tif 000004
【図３】
2011066508.tif 000005
【図４】
2011066508.tif 000006
【図５】
2011066508.tif 000007
【図６】
2011066508.tif 000008
【図７】
2011066508.tif 000009
【図８】
2011066508.tif 000010
【図９】
2011066508.tif 000011
【図１０】
2011066508.tif 000012
【図１１】
2011066508.tif 000013
【図１２】
2011066508.tif 000014
【図１３】
2011066508.tif 000015
【図１４】
2011066508.tif 000016
【図１５】
2011066508.tif 000017
【図１６】
2011066508.tif 000018